(57)【特許請求の範囲】
【請求項１】
感光材料を搬送しながら露光を行う露光部と、露光部排出側に配設され、感光材料を搬送経路に沿って搬送する搬送機構とを備えた写真処理装置において、搬送機構は、露光部から排出される感光材料を搬送経路に沿って案内するガイド部材と、ガイド部材に沿って複数配設される感光材料を挟持して搬送するための搬送ローラー対とを備え、
搬送ローラー対のうち、搬送経路の上流側に位置する搬送ローラー対を圧接および離間動作可能とし、
露光されている感光材料は、離間された搬送ローラー対の間を通過させ、露光が終了した感光材料は、圧接された搬送ローラー対によって搬送するように、圧接および離間動作可能な搬送ローラー対の圧接・離間動作制御を行うようにしていることを特徴とする写真処理装置。
【請求項２】
搬送機構は、感光材料を複数列搬送可能としており、圧接および離間動作可能な搬送ローラー対は、並列搬送される感光材料のうち搬送長さが長い方を基準として圧接および離間動作の制御を行うようにしている請求項１に記載の写真処理装置。
【請求項３】
感光材料を搬送しながら露光を行う露光部と、露光部排出側に配設され、感光材料を搬送経路に沿って搬送する搬送機構とを備えた写真処理装置において、搬送機構は、露光部から排出される感光材料を搬送経路に沿って案内するガイド部材と、ガイド部材に沿って複数配設される感光材料を挟持して搬送するための搬送ローラー対とを備え、
搬送ローラー対のうち、搬送経路の上流側に位置する搬送ローラー対を圧接および離間動作可能として、
感光材料の全長が基準とする長さ以下の場合には、露光後に感光材料が搬送ローラー対で挟持され、感光材料の全長が基準とする長さより長い場合には、搬送ローラー対を離間位置から圧接位置への移行速度を感光材料への負荷変動を防ぐ程度の速度として離間位置から圧接位置へ移行させながら、搬送されている感光材料に搬送ローラー対を圧接させて搬送するように、圧接および離間動作可能な搬送ローラー対の圧接・離間動作制御を行うようにしていることを特徴とする写真処理装置。
【請求項４】
搬送機構は、感光材料を複数列搬送可能としており、圧接および離間動作可能な搬送ローラー対は、並列搬送される感光材料のうち全長が長い方を基準として圧接および離間動作の制御を行うようにしている請求項３に記載の写真処理装置。
【発明の詳細な説明】
【０００１】
【発明の属する技術分野】
本発明は、感光材料である印画紙を搬送しながら露光を行う露光部と、露光部排出側に配設され、印画紙を搬送経路に沿って搬送する搬送機構とを備えた写真処理装置に関する。
【０００２】
【従来の技術】
一般に、デジタル化した画像等を印画紙に焼付処理する場合、印画紙を搬送しながら露光するいわゆるライン露光を行う写真処理方法がある。
【０００３】
このライン露光を行う写真処理装置は、図１１に示すように、露光部Ａにおいて露光部入口側と出口側に露光用第１搬送ローラー対Ｂ１と露光用第２搬送ローラー対Ｂ２とを設けており、これら露光用第１搬送ローラー対Ｂ１と露光用第２搬送ローラー対Ｂ２とは、駆動ローラーＣとこの駆動ローラーＣに追従する従動ローラーＤとから構成されており、従動ローラーＤは、駆動ローラーＣに対して圧接または離間するようになっている。なお、露光用第１搬送ローラー対Ｂ１と露光用第２搬送ローラー対Ｂ２とは、一方の搬送ローラー対が圧接状態のときには、他方の搬送ローラー対は、離間された状態となるようになっている。
【０００４】
露光部Ａに送られてきた印画紙Ｐは、搬送されながら露光されるのであって、まず、入口側の露光用第１搬送ローラー対Ｂ１で挟持されながら搬送され、印画紙Ｐの先端がライン露光ヘッドＡ１を通過すると、ライン露光ヘッドＡ１から印画紙Ｐに露光が開始される。
【０００５】
そして、印画紙Ｐの先端が出口側の露光用第２搬送ローラー対Ｂ２に到達すると、露光用第２搬送ローラー対Ｂ２の従動ローラーＤが圧接して印画紙Ｐが挟持され、その直後に露光用第１搬送ローラー対Ｂ１の従動ローラーＤが離間して、印画紙Ｐが露光用第１搬送ローラー対Ｂ１から露光用第２搬送ローラー対Ｂ２に受け渡されて、露光用第２搬送ローラー対Ｂ２で印画紙Ｐが挟持されながら搬送される。
【０００６】
次に、露光用第２搬送ローラー対Ｂ２から排出される印画紙Ｐは、露光部Ａの排出側に配設される搬送機構Ｅによって現像処理部へと搬送されていくのであるが、この搬送機構Ｅは、搬送経路の最上流側に設けられる一対の搬送ローラー対Ｆと、この搬送ローラー対Ｆの排出側に配設される一対の搬送ベルト対Ｇとから構成されている。一対の搬送ローラー対Ｆは、駆動ローラーＦ１と、該駆動ローラーＦ１に対して、圧接および離間する従動ローラーＦ２とから構成され、搬送ベルト対Ｇは、２つのエンドレスベルトＧ１，Ｇ１の対向面が圧接するように配設されている。
【０００７】
この搬送機構Ｅによれば、所定の通常プリントサイズの印画紙Ｐの場合には、印画紙Ｐへの露光が終了した後に、印画紙Ｐが搬送ローラー対Ｆに到達するようになっており、搬送ローラー対Ｆに到達した露光済み印画紙Ｐは、搬送ローラー対Ｆで挟持されながら、搬送ベルト対Ｇへ搬送され、この搬送ベルト対Ｇにより印画紙Ｐは、現像処理部へと送られるようになっている。
【０００８】
また、通常プリントサイズより全長が長いサイズの場合は、印画紙Ｐの露光中に搬送ローラー対Ｆに到達してしまうので、露光中に印画紙Ｐを搬送ローラー対Ｆで挟持してしまうと印画紙Ｐに大きな負荷を与えてしまうことになる。
【０００９】
そこで、通常プリントサイズより長いサイズの場合は、搬送ローラー対Ｆを離間状態にさせておいて、印画紙Ｐを直接搬送ベルト対Ｇへ送り、圧接されたエンドレスベルト間に進入させて、その進入後、搬送ローラー対Ｆの駆動ローラーＦ１と従動ローラーＦ２とを圧接させて、印画紙Ｐが、搬送ローラー対Ｆと搬送ベルト対Ｇとで挟持された状態で、現像処理部へと送られるようになっている。
【００１０】
【発明が解決しようとする課題】
ところで、以上の写真処理装置では、通常プリントサイズの場合には、露光終了後に、印画紙Ｐが搬送ローラー対Ｆで挟持されるので、印画紙Ｐが搬送ローラー対Ｆで挟持されたときに負荷変動が生じても露光には影響がない。
【００１１】
また、通常プリントサイズよりも長いサイズの場合には、印画紙Ｐが受ける負荷変動をできるだけ少なくするため、露光中、搬送ローラー対Ｆを離間状態にさせておいて、搬送ローラー対Ｆより下流側の搬送ベルト対Ｇのエンドレスベルト間に印画紙Ｐを進入させるようにしている。
【００１２】
しかしながら、印画紙Ｐの長さによっては、搬送ベルト対Ｇの圧接されたエンドレスベルト間への印画紙Ｐの進入が露光中に行われる場合があり、露光中に印画紙Ｐの先端部がエンドレスベルト間へ進入すると、印画紙Ｐにかかる負荷が変動し、露光ムラが依然として生じてしまう不具合が生じていた。
【００１３】
本発明は、上記の問題に鑑みてなしたものであって、印画紙Ｐの長さが何れの長さとなっても、露光中に、露光ムラが生ずることなく露光を行える写真処理装置を提供することを目的とする。
【００１４】
【課題を解決するための手段】
以上の目的を達成するため、請求項１に記載の発明は、感光材料を搬送しながら露光を行う露光部と、露光部排出側に配設され、感光材料を搬送経路に沿って搬送する搬送機構とを備えた写真処理装置において、搬送機構は、露光部から排出される感光材料を搬送経路に沿って案内するガイド部材と、ガイド部材に沿って複数配設される感光材料を挟持して搬送するための搬送ローラー対とを備え、搬送ローラー対のうち、搬送経路の上流側に位置する搬送ローラー対を圧接および離間動作可能とし、露光されている感光材料は、離間された搬送ローラー対の間を通過させ、露光が終了した感光材料は、圧接された搬送ローラー対によって搬送するように、圧接および離間動作可能な搬送ローラー対の圧接・離間動作制御を行うようにしている構成とした。
【００１５】
請求項２に記載の発明は、請求項１に記載の写真処理装置において、搬送機構は、感光材料を複数列搬送可能としており、圧接および離間動作可能な搬送ローラー対は、並列搬送される感光材料のうち搬送長さが長い方を基準として圧接および離間動作の制御を行うようにしている構成とした。
【００１６】
請求項３に記載の発明は、感光材料を搬送しながら露光を行う露光部と、露光部排出側に配設され、感光材料を搬送経路に沿って搬送する搬送機構とを備えた写真処理装置において、搬送機構は、露光部から排出される感光材料を搬送経路に沿って案内するガイド部材と、ガイド部材に沿って複数配設される感光材料を挟持して搬送するための搬送ローラー対とを備え、搬送ローラー対のうち、搬送経路の上流側に位置する搬送ローラー対を圧接および離間動作可能として、感光材料の全長が基準とする長さ以下の場合には、露光後に感光材料が搬送ローラー対で挟持され、感光材料の全長が基準とする長さより長い場合には、搬送ローラー対を離間位置から圧接位置への移行速度を感光材料への負荷変動を防ぐ程度の速度として離間位置から圧接位置へ移行させながら、搬送されている感光材料に搬送ローラー対を圧接させて搬送するように、圧接および離間動作可能な搬送ローラー対の圧接・離間動作制御を行うようにしている構成とした。
【００１７】
請求項４に記載の発明は、請求項３に記載の写真処理装置において、搬送機構は、感光材料を複数列搬送可能としており、圧接および離間動作可能な搬送ローラー対は、並列搬送される感光材料のうち全長が長い方を基準として圧接および離間動作の制御を行うように構成した。
【００１８】
【発明の実施の形態】
以下、本発明の実施の形態を図面に基づいて説明する。
【００１９】
図１および図２は、本発明の写真処理装置の全体構成を示しており、この写真処理装置は、装置本体１に、写真感光材料である印画紙Ｐへ画像等の焼き付けを行う焼付け部１１と、この焼付け部１１で焼き付け処理された印画紙Ｐを現像処理する現像処理部１２と、現像処理部１２で現像処理された印画紙Ｐを乾燥する乾燥処理部１３と、乾燥処理された印画紙Ｐを排出するプリント排出部１４とを備えている。
【００２０】
また、印画紙Ｐは、複数の搬送手段１５によって、焼付け部１１、現像処理部１２、乾燥処理部１３、プリント排出部１４に順次搬送される。なお、本発明の写真処理装置は、印画紙Ｐを並列搬送しながら露光できるようになっている。
【００２１】
前記焼付け部１１には、モニタ２１、光源ランプ２２、露光部２３、２つのペーパーマガジン２４，２４が設けられており、露光部２３は、光源（図示せず）と光ファイバー束（図示せず）を介して接続され、印画紙Ｐの移送方向と直交する方向に設けられたライン状の露光ヘッド２５と、光源と露光ヘッド２５との間の光路に配設される光質変調フィルター（図示せず）とから構成されている。
【００２２】
そして、露光ヘッド２５に、光源から光質変調フィルターを透過した光が送られて、この露光ヘッド２５に対して印画紙Ｐを１ドット列ずつ移送させることにより、移送中の印画紙Ｐがライン露光される。
【００２３】
なお、露光ヘッド２５は、ＰＬＺＴシャッター方式、レーザービーム方式、蛍光ビーム方式、液晶シャッター方式などのデジタル露光方式を採用しており、仕様に応じて任意の方式を選択することができる。
【００２４】
さらに、写真処理装置における焼付け部１１には、図１および図２に示すように、画像の補正、画像の焼付けを行う印画紙Ｐの長さなどの各種データが入力され、入力データに基づいて各機器の動作を制御するための制御手段３を備えており、この制御手段は、コンピューターにより構成されている。
【００２５】
また、焼付け部１１では、２つのペーパーマガジン２４，２４の排出口近くにおいて、２つのペーパーマガジン２４，２４から搬送されてくる印画紙Ｐを所定の長さにカットするようにしている。さらに、このカットされた印画紙Ｐを露光部２３における露光用第１搬送ローラー対２６に到達する前に振り分けて搬送することができるようになっており、図１０に示すように、１列搬送による露光だけでなく、並列搬送による同時露光もできるようになっている。
【００２６】
そして、前記露光部２３では、図１０に示すように、露光ヘッド２５をコンピューター３に接続しており、該コンピューター３にデジタル化した画像データや文字データを記憶させて、この記憶された画像や文字等を印画紙Ｐの長さに合わせて露光ヘッド２５により露光することができるようになっている。
【００２７】
また、露光部２３では、印画紙Ｐを搬送しながら露光を行うため、露光部入口側と出口側に、それぞれ一対の露光用第１搬送ローラー対２６と露光用第２搬送ローラー対２７とを設け、露光用第１搬送ローラー対２６で印画紙Ｐを搬送しながら露光し、途中で露光用第２搬送ローラー対２７で印画紙Ｐを搬送しながら露光するようにしている。
【００２８】
これら露光用第１搬送ローラー対２６と露光用第２搬送ローラー対２７とは、搬送手段１５のうちの駆動側ローラー２８とこの駆動側ローラー２８に追従する従動側ローラー２９とから構成されており、従動側ローラー２９は、駆動側ローラー２８に対して圧接または離間するようになっている。
【００２９】
そして、露光用第１搬送ローラー対２６と露光用第２搬送ローラー対２７とは、一方の搬送ローラー対が圧接状態のときには、他方の搬送ローラー対は、離間された状態となるようにして、どちらか一方の搬送ローラー対で印画紙Ｐを搬送するようにしている。
【００３０】
具体的には、図１０に示すように、露光用第１搬送ローラー対２６の上流側に設ける第１センサー３１により搬送されてくる印画紙Ｐの先端部が検出され、この検出結果がコンピューター３に入力される。そして、露光用第１搬送ローラー対２６と露光用第２搬送ローラー対２７とによる印画紙Ｐの搬送は、まず、入口側の露光用第１搬送ローラー対２６で印画紙Ｐが挟持されながら搬送され、印画紙Ｐの先端が露光ヘッド２５を通過すると、第１センサー３１による検出結果に基づいて露光ヘッド２５から印画紙Ｐに露光が開始される。
【００３１】
そして、印画紙Ｐの先端が出口側の露光用第２搬送ローラー対２７に到達すると、露光用第２搬送ローラー対２７の従動側ローラー２９が圧接して印画紙Ｐが挟持され、その直後に露光用第１搬送ローラー対２６の従動側ローラー２９が離間し、印画紙Ｐが露光用第１搬送ローラー対２６から露光用第２搬送ローラー対２７に受け渡されて露光用第２搬送ローラー対２７で印画紙Ｐが挟持されながら搬送され、現像処理部１２へと排出される。
【００３２】
現像処理部１２は、処理槽１２ａを備えており、該処理槽１２ａの内部は、仕切板（図示せず）でいくつかに区画されており、それぞれの区画内に現像液（ＣＤ）、漂白定着液（ＢＦ）、安定化液（ＳＴＢ）等の各種処理液が貯溜されている。
【００３３】
乾燥処理部１３は、ヒーター１３ａを備えており、搬送手段１５で印画紙Ｐを搬送させる間に印画紙Ｐをヒーター１３ａによって適宜乾燥するようにしている。そして、乾燥処理部１３で乾燥された印画紙Ｐは、プリント排出部１４に送られ、出口から排出トレイ１４ａへと排出される。
【００３４】
この写真処理装置では、まず、焼付け部１１において、ペーパーマガジン２４，２４から繰り出される印画紙Ｐは搬送手段１５で搬送されながらカットされ、このカットされた印画紙Ｐが露光部２３に送られて、画像が印画紙Ｐに焼き付けされる。
【００３５】
そして画像が焼き付けられた印画紙Ｐは、現像処理部１２に送られて現像処理がなされ、乾燥処理部１３で乾燥されて、プリント排出部１４から排出される。
【００３６】
以上の構成から成る写真処理装置において、本実施の形態では、図３および図４に示すように、露光部２３の印画紙Ｐ排出側で現像処理部１２の手前上流側に設ける搬送手段１５で印画紙Ｐを搬送するにあたり、露光部２３の印画紙Ｐ排出側に以下に示す搬送機構５を設けている。
【００３７】
搬送機構５は、排出される印画紙Ｐを挟むように搬送経路４に沿って配設されるガイド部材６と、該ガイド部材６に沿って配設される複数の搬送ローラー対７とを備えている。
【００３８】
ガイド部材６は、図３から図９に示すように、搬送経路４を形成するように、上下に配設される板状の上部側ガイド部材６１と下部側ガイド部材６２とから構成される。上部側ガイド部材６１と、下部側ガイド部材６２とは、ガイド面を長手方向一方側は湾曲させ、他方側は直線状に形成しており、湾曲した側の先端部を露光部２３の露光用第２搬送ローラー対２７に対向するように配設して、上部側ガイド部材６１と下部側ガイド部材６２のガイド面間に印画紙Ｐを通過させるようにしている。
【００３９】
なお、上部側ガイド部材６１は、湾曲部材６１ａと、直線部材６１ｂとに分割できるように構成されており、上部側ガイド部材６１の湾曲部材６１ａと、下部側ガイド部材６２は、搬送機構５における搬送方向の幅方向両端側に配設される板状の支持体８１，８１に取り付けられており、上部側ガイド部材６１の直線部材６１ｂは、支持体８１，８１に対し、取り外しができるように配設されている。さらに、各支持体８１，８１は、搬送経路４の上流側に設ける第１支持部材８２と搬送経路４の下流側に設ける第２支持部材８３を介して装置本体１のフレーム１ａに支持されている。
【００４０】
また、搬送ローラー対７は、図３および図４に示すように、一対の駆動ローラー７ａと従動ローラー７ｂとからなり、搬送経路４の上流側から順に、ガイド部材６に沿って、第１搬送ローラー対７１、第２搬送ローラー対７２、第３搬送ローラー対７３、第４搬送ローラー対７４、第５搬送ローラー対７５、第６搬送ローラー対７６、そして、第７搬送ローラー対７７からなる７つの搬送ローラー対が配設されている。
【００４１】
各搬送ローラー対７のうち、駆動ローラー７ａは、搬送機構５における搬送方向に対する幅方向に配設される支持体８１，８１にそのローラー軸７ｃが支持されている。さらに、図４に示すように、各駆動ローラー７ａは、ローラー駆動用モータ８４の駆動で回転するようになっており、図４に示すように、ローラー駆動用モータ８４によって第７搬送ローラー対７７の駆動ローラー７ａを回転させるとともに、図３および図４に示すように、すべての駆動ローラー７ａのローラー軸７ｃの一端にプーリー８５を設けて、各プーリー８５を無端ベルト８６で掛け渡して、すべての駆動ローラー７ａが回転駆動するようになっている。また、無端ベルト８６にテンションをかけるため、各プーリー８５の間に補助プーリー８７を設けている。
【００４２】
また、各搬送ローラー対７の従動ローラー７ｂについては、図３および図５に示すように、搬送機構５における搬送方向に対する幅方向両側に配設される支持体８１，８１に、第１搬送ローラー対７１の従動ローラー７ｂが揺動板８８を介して、そして、第２搬送ローラー対７２の従動ローラー７ｂが揺動部材９０を介して支持されている。第３搬送ローラー対７３、第４搬送ローラー対７４、第５搬送ローラー対７５、第６搬送ローラー対７６、第７搬送ローラー対７７の従動ローラー７ｂは、前記支持体８１，８１に対して取り外しができる上部側ガイド部材６１の直線部材６１ｂに設ける支持壁６１ｄ，６１ｄに支持されている。
【００４３】
本実施の形態では、図５に示すように、搬送経路４の上流側に位置する２つ第１搬送ローラー対７１と第２搬送ローラー対７２とを圧接及び離間動作ができるように構成している。圧接及び離間動作は、第１搬送ローラー対７１の従動ローラー７ｂと第２搬送ローラー対７２の従動ローラー７ｂとを、回転する駆動ローラー７ａに対して、圧接及び離間動作ができるようにしている。
【００４４】
具体的には、第１搬送ローラー対７１の従動ローラー７ｂは、２つの揺動板８８，８８に回転可能に支持され、２つの揺動板８８，８８は、前記した２つの支持体８１，８１に、揺動軸８９を支点に揺動可能に支持されるとともに、揺動板８８，８８と支持体８１，８１との間に第１バネ９１，９１を掛け渡し、この第１バネ９１，９１により、揺動板８８，８８に支持される第１搬送ローラー対７１の従動ローラー７ｂが駆動ローラー７ａに向かって押されるようになっている。そして、揺動板８８，８８の揺動に伴い、第１搬送ローラー対７１の従動ローラー７ｂが駆動ローラー７ａに対して圧接または離間する。
【００４５】
また、第２搬送ローラー対７２の従動ローラー７ｂは、２つの支持体８１，８１に掛け渡されるコ字状の揺動部材９０に回転可能に支持されており、第２搬送ローラー対７２の従動ローラー７ｂは、そのローラー軸７ｃを支持体８１，８１に設ける穴８１ａに貫通させた後、揺動部材９０に支持される。
【００４６】
揺動部材９０は、２つの支持体８１，８１に、前記した揺動軸８９を支点に揺動可能に支持されるとともに、揺動部材９０と支持体８１，８１との間に第２バネ９２，９２を掛け渡して、この第２バネ９２，９２により、揺動部材９０に支持される第２搬送ローラー対７２の従動ローラー７ｂが駆動ローラー７ａに向かって押されるようになっている。
【００４７】
そして、揺動部材９０の揺動に伴い、第２搬送ローラー対７２の従動ローラー７ｂが駆動ローラー７ａに対して圧接または離間する。なお、支持体８１，８１に設ける穴８１ａの大きさは、第２搬送ローラー対７２の従動ローラー７ｂのローラー軸７ｃが上下動できる大きさに形成されている。
【００４８】
さらに、各搬送ローラー対７の駆動ローラー７ａと従動ローラー７ｂとは、図４に示すように、１本のローラー軸７ｃに対し複数のローラー部７ｄを設けて構成されており、上部側ガイド部材６１と下部側ガイド部材６２には、各搬送ローラー対７の駆動ローラー７ａと従動ローラー７ｂとを圧接させるために、ローラー部７ｄを挿入する複数のローラー挿入穴６３を形成している。
【００４９】
また、上部側ガイド部材６１の湾曲部材６１ａにおける印画紙Ｐが進入する入口部には、第１搬送ローラー対７１の従動ローラー７ｂが、離間動作により所定距離移動したときに従動ローラー７ｂのローラー軸７ｃが当接する当接部６１ｃを設けており、ローラー軸７ｃの揺動に伴い、この当接部６１ｃに第１搬送ローラー対７１の従動ローラー７ｂのローラー軸７ｃが当接すると、上部側ガイド部材６１の湾曲部材６１ａも下部側ガイド部材６２に対し離間動作を行うようになっている。さらに、この湾曲部材６１ａと支持体８１，８１とを第３バネ９３，９３で連結して、湾曲部材６１ａが駆動ローラー７ａに向けて押し付けられるようにしている。
【００５０】
さらに、一方の支持体８１には、図５に示すように、第１搬送ローラー対７１の従動ローラー７ｂと上部側ガイド部材６１の湾曲部材６１ａとを圧接および離間動作させるための第１偏心カム９４と、第２搬送ローラー対７２の従動ローラー７ｂを圧接および離間動作させるための第２偏心カム９５とを回転可能に支持している。
【００５１】
第１偏心カム９４と第２偏心カム９５は、同一の軸９６に同期回転させるように固定されており、揺動板８８に回転可能に支持される第１ベアリング９７に第１偏心カム９４を当接させ、揺動部材９０の支持片９０ａに回転可能に支持される第２ベアリング９８に第２偏心カム９５を当接させるようにしている。
【００５２】
第１偏心カム９４と第２偏心カム９５とは、図５に示すように、ステッピングモータからなる偏心カム駆動用モータ９９によりゆっくりと回転駆動させるようにしている。そして、第１偏心カム９４と第２偏心カム９５の外周形状を、図５から図９に示す形状に形成して、第１偏心カム９４の第１ベアリング９７との当接と、第２偏心カム９５の第２ベアリング９８との当接により、第１搬送ローラー対７１の従動ローラー７ｂと第２搬送ローラー対７２の従動ローラー７ｂとが、第１バネ９１，９１および第２バネ９２，９２のばね押し付け力に抗して、ゆっくりと駆動ローラー７ａに圧接していくように、すなわち、離間状態から圧接位置へ移行する際、印画紙Ｐの負荷変動を防ぐ程度の速度で圧接していくようにしている。
【００５３】
さらに、圧接および離間動作可能な第２搬送ローラー対７２の圧接力を、これよりも下流側に位置する常時圧接状態にある第３〜第７搬送ローラー対７３〜７７の圧接力よりも大きくなるように設定している。
【００５４】
つぎに、ガイド部材６と、搬送ローラー対７とを備える搬送機構５の駆動制御について、まず１列搬送する場合について説明する。
【００５５】
この駆動制御は、通常サイズの印画紙Ｐを露光する場合には、すべての搬送ローラー対７を圧接させた状態にして、通常サイズより長いサイズの印画紙Ｐを露光する場合には、第１搬送ローラー対７１を常時離間状態にさせるとともに、第２搬送ローラー対７２を図６から図９に示す順序で圧接・離間動作を行うようにしている。
【００５６】
通常サイズであるか通常サイズより長いサイズであるかの判断は、写真処理時に、露光される印画紙Ｐの長さをコンピューター３に入力することによりコンピューター３において判断される。
【００５７】
さらに、図１０に示すように、第２搬送ローラー対７２の上流側にも印画紙Ｐの先端部を検出する第２センサー３２を設けており、前記した第１センサー３１が印画紙Ｐの先端部を検出すると、入力された印画紙Ｐのデータの基づいて印画紙Ｐへの露光開始時期、および、露光用第１搬送ローラー対２６、露光用第２搬送ローラー対２７、そして、搬送機構５における第１搬送ローラー対７１と第２搬送ローラー対７２の駆動制御がなされるようになっている。しかも、通常サイズより長いサイズの印画紙Ｐの場合には、第２センサー３２の検出結果に基づいてさらに第２搬送ローラー対７２の圧接駆動の制御がなされるようになっている。
【００５８】
具体的には、第１偏心カム９４と第２偏心カム９５とが図６に示す状態にあるときは、第１搬送ローラー対７１および第２搬送ローラー対７２は圧接状態にあり、すべての搬送ローラー対７が圧接状態となって、通常の焼き付けサイズの印画紙Ｐが露光される。通常の焼き付けサイズの印画紙Ｐを露光する場合には、露光部において、露光が完了した印画紙Ｐが第１搬送ローラー対７１のローラー間に進入するようになっている。
【００５９】
そして、通常焼き付けサイズより長いサイズの印画紙Ｐを露光する場合には、コンピューター３からの出力で、第１偏心カム９４と第２偏心カム９５とが図７に示す状態となるように、偏心カム駆動用モータ９９によって所定の回転角度だけ回転され、第１偏心カム９４により、第１ベアリング９７が図７の左方向に押されて、第１ベアリング９７が支持される揺動板８８が揺動軸８９を支点として揺動して、揺動軸８９に支持される第１搬送ローラー対７１のみが離間動作を行う。
【００６０】
次に、露光部２３での露光が開始されると、コンピューター３からの出力で、第１偏心カム９４と第２偏心カム９５とが図８に示す状態となるように、偏心カム駆動用モータ９９によりさらに所定の回転角度だけ回転し、第１偏心カム９４に当接する第１ベアリング９７は図７と同じ位置のままで、第２偏心カム９５により、第２ベアリング９８が図８の左方向に押されて、第２ベアリング９８が支持される第２揺動部材９０が揺動軸８９を支点として揺動して、第２搬送ローラー対７２が離間動作を行う。
【００６１】
このとき、露光部２３から送られてくる印画紙Ｐは、上部側ガイド部材６１の湾曲部材６１ａと下部側ガイド部材６２とにより搬送経路４に沿って案内されながら、回転駆動する第１搬送ローラー対７１の駆動ローラー７ａと第２搬送ローラー対７２の駆動ローラー７ａに接触して搬送方向に向けて付勢される。
【００６２】
さらに、第２搬送ローラー対７２が離間状態となって、露光部２３から搬送されてくる印画紙Ｐの先端が第２搬送ローラー対７２の駆動ローラー７ａと従動ローラー７ｂとの間に進入するのを、第２センサー３２で検出すると、その検出結果がコンピューター３に入力され、コンピューター３からの出力で、第１偏心カム９４と第２偏心カム９５とが、図９に示す状態となるように、偏心カム駆動用モータ９９によりさらに所定の回転角度だけ回転する。
【００６３】
そして、第１偏心カム９４により、第１ベアリング９７が図９の左方向にさらに押され、揺動板８８が揺動軸８９を支点として揺動して、揺動軸８９に支持される第１搬送ローラー対７１がさらに離間する方向に動作を行い、このとき、第１搬送ローラー対７１のローラー軸７ｃが、上部側ガイド部材６１の湾曲部材６１ａに設ける当接部６１ｃに当接し、この湾曲部材６１ａもローラー軸７ｃに押されて離間動作を行う。
【００６４】
それと同時に、第２偏心カム９５に当接する第２ベアリング９８が第２バネ９２，９２の力で図９の右方向に押されて、揺動部材９０が揺動軸８９を支点として図８の場合とは逆方向にゆっくりと揺動して、第２搬送ローラー対７２はゆっくりと圧接動作を行う。
【００６５】
したがって、印画紙Ｐが搬送されてきた場合、第２偏心カム９５の形状によって第２搬送ローラー対７２の従動ローラー７ｂがゆっくりと駆動ローラー７ａに圧接していき、印画紙Ｐは、ゆっくりと第２搬送ローラー対７２の従動ローラー７ｂと駆動ローラー７ａとにより挟持され、挟持された印画紙Ｐは、駆動ローラー７ａの回転駆動で第３搬送ローラー対７３に搬送される。なお、この第２搬送ローラー対７２の圧接動作は、印画紙Ｐが第３搬送ローラー対７３に到達する前に完了するようにしている。
【００６６】
以上のように、印画紙Ｐが露光部２３で露光されながら、第２搬送ローラー対７２まで搬送されると、露光中の印画紙Ｐをまず、この第２搬送ローラー対７２によりゆっくりとした圧接動作速度で挟持するので、印画紙Ｐへの負荷変動を低減でき、露光ムラを防止できる。
【００６７】
しかも、露光中の印画紙Ｐを第２搬送ローラー対７２によりゆっくりとした圧接動作速度で挟持していくようにしているので、露光部２３における露光が完了する前に第２搬送ローラー対７２により印画紙Ｐを挟持することができることから、露光後すぐに露光用第２搬送ローラー対２７の圧接を解除させるとともに露光用第１搬送ローラー対２６を圧接させられるので、次に露光される印画紙Ｐの待機状態を直ぐに行え、従って、それだけ待機時間を短くして処理能力を向上できる。
【００６８】
さらに、圧接および離間動作可能な第２搬送ローラー対７２の圧接力を、これよりも下流側に位置する常時圧接状態にある第３搬送ローラー対７３から第７搬送ローラー対７７の圧接力よりも大きくして、強い圧接力で印画紙Ｐを第２搬送ローラー対７２により挟持しているので、第３搬送ローラー対７３に印画紙Ｐがかみ込んだ際に、印画紙Ｐの先端部に負荷変動がおこっても、負荷変動は、第２搬送ローラー対７２により、露光部２３側への伝達が遮断され、露光箇所での負荷変動を低減でき、さらに露光ムラを確実に防止して焼き付け品質を向上できる。
【００６９】
また、本発明では、図１０に示すように、印画紙Ｐを並列搬送しながら露光を行うこともできるようになっており、この場合の搬送機構５における第１搬送ローラー対７１および第２搬送ローラー対７２の駆動制御は、並列搬送される感光材料のうち全長が長い方を基準として圧接および離間動作の制御を行うようにしている。
【００７０】
即ち、図１０に示すように、通常サイズの印画紙Ｐ１と通常サイズより長いサイズの印画紙Ｐ２とを同時に搬送する場合には、通常サイズより長いサイズの印画紙Ｐ２を基準として搬送機構５の駆動制御がなされる。この場合、第１センサー３１は、搬送列数に応じた数が配設され、並列搬送されているそれぞれの印画紙Ｐの先端部が検出されるようになっている。
【００７１】
そして、第１センサー３１で印画紙Ｐの先端部が検出されると、通常サイズより長いサイズの印画紙Ｐ２に合わせて、図７から図９に示すように前記した第１搬送ローラー対７１および第２搬送ローラー対７２の駆動制御がなされる。
【００７２】
このとき、通常サイズの印画紙Ｐ１は、露光が完了されて、露光用第２搬送ローラー対２７から排出された後は、第１搬送ローラー対７１によって挟持されないが、離間状態の第１搬送ローラー対７１の駆動ローラー７ａと第２搬送ローラー対７２の駆動ローラー７ａとは回転駆動されている。
【００７３】
また、露光前の印画紙Ｐは通常乳剤面側を表にしてロール状に巻かれており、印画紙Ｐがガイド部材６でガイドされながら搬送されるときに、印画紙Ｐのカール方向と逆方向にガイド部材６の湾曲部が湾曲するようにガイド部材６を配設している。
【００７４】
従って、露光部２３の露光用第２搬送ローラー対２７による搬送の勢いで、通常サイズの印画紙Ｐ１がガイド部材６に進入すると、印画紙Ｐ１はガイド部材６の湾曲形状によりカール方向とは逆方向に強制的に曲げられることになり、この逆方向への曲げに対して印画紙Ｐ１は腰による反発力により先端部が元のカール方向（駆動ローラー７ａから離間する方向）へ曲がろうとし、中央部はその反動で駆動ローラー７ａ側に曲がり、また、露光用第２搬送ローラー対２７から排出された後端部は、先端部同様、元のカール方向へ曲がろうとすることから、印画紙Ｐ１の中央部が駆動ローラー７ａに接触することになる。
【００７５】
その結果、回転駆動している第１搬送ローラー対７１の駆動ローラー７ａに印画紙Ｐ１の中央部が接触してガイド部材６で案内されながら搬送経路４に沿って移動される。
【００７６】
そして、通常サイズより長いサイズの印画紙Ｐ２は、ガイド部材６により第２搬送ローラー対７２へと案内されて第２搬送ローラー対７２によりゆっくりと挟持されて第３搬送ローラー対７３へと搬送されていく。第２搬送ローラー対７２が圧接されると、第１搬送ローラー対７１も圧接し、通常サイズの印画紙Ｐ１も第１搬送ローラー対７１または第２搬送ローラー対７２で挟持されて第３搬送ローラー対７３へと搬送されていく。
【００７７】
以上のように長さの異なる印画紙Ｐを並列搬送する場合でも、長い方の印画紙を基準として搬送機構５の第１搬送ローラー対７１及び第２搬送ローラー対７２の駆動制御を行い、通常サイズの印画紙Ｐ１の露光が完了しつつ、通常サイズより長いサイズの印画紙Ｐ２が露光部２３で露光されていても、通常サイズより長いサイズの印画紙Ｐ２が第２搬送ローラー対７２まで搬送されると、露光中の印画紙Ｐ２を第２搬送ローラー対７２によりゆっくりとした圧接動作速度で挟持するようにしているので、通常サイズより長いサイズの印画紙Ｐ２への負荷変動を低減でき、露光ムラを防止できる。
【００７８】
しかも、露光中の印画紙Ｐを第２搬送ローラー対７２によりゆっくりとした圧接動作速度で挟持していくようにしているので、露光部２３における露光が完了する前に第２搬送ローラー対７２により印画紙Ｐを挟持することができる。その結果、露光後すぐに露光用第２搬送ローラー対２７の圧接を解除させるとともに露光用第１搬送ローラー対２６を圧接させられるので、次に露光される印画紙Ｐの待機状態を直ぐに行え、それだけ待機時間を短くして処理能力を向上できる。
【００７９】
なお、前記した実施の形態では、搬送機構５における第２搬送ローラー対７２の圧接・離間動作の制御を、離間位置から圧接位置への移行速度を印画紙Ｐへの負荷変動を防ぐ程度の速度にして離間位置から圧接位置へ移行させるように制御したが、図１から図５に示す写真処理装置において、搬送ローラー対７のうち、搬送経路４の上流側に位置する搬送ローラー対７を圧接および離間動作可能とし、露光されている印画紙Ｐは、離間された搬送ローラー対７の間を通過させ、露光が終了した印画紙Ｐは、圧接された搬送ローラー対７によって搬送するように、搬送ローラー対７の圧接・離間動作制御を行うようにしてもよい。
【００８０】
この場合は、露光用第１搬送ローラー対７１の上流側にセンサーを設けて、コンピューター３に入力された印画紙Ｐの長さとセンサーによる検出結果に基づいてコンピューター３による制御で搬送機構の各搬送ローラー対７の駆動制御を行うのである。具体的には、印画紙が露光中のときは、露光中の印画紙が通過しようとする搬送ローラー対７を離間させておいて、離間された搬送ローラー対７の間に印画紙Ｐを通過させ、露光が終了すると、離間されていた搬送ローラー対７を圧接動作させて、圧接された搬送ローラー対７によって印画紙を搬送するのである。
【００８１】
このように搬送ローラー対７の圧接・離間動作制御を行う場合には、印画紙Ｐの長さに関係なく、常に露光終了後に印画紙Ｐを搬送ローラー対７で挟持して搬送することができるので、印画紙Ｐへの負荷変動をなくして確実に露光ムラが生じるのを防止することができる。
【００８２】
さらに、常に露光終了後に搬送ローラー対７を圧接させて印画紙Ｐを搬送する本発明は並列搬送しながら露光する場合にも適用できるのであって、この場合、搬送機構５は、前記した実施の形態と同様に印画紙Ｐを複数列搬送可能としており、圧接および離間動作可能な搬送ローラー対７は、並列搬送される印画紙Ｐのうち搬送方向の長さが長い方を基準として圧接および離間動作の制御を行うようにするのである。
【００８３】
このとき、通常サイズの印画紙は、露光が完了されて、露光用第２搬送ローラー対から排出された後は、搬送ローラー対７によって挟持されないが、離間状態の搬送ローラー対７の駆動ローラー７ａは回転駆動されていることから、通常サイズの印画紙Ｐ１は、まず、露光部２３の露光用第２搬送ローラー対２７による搬送の勢いでガイド部材６に進入し、それから、回転駆動している搬送ローラー対７の駆動ローラー７ａに接触してガイド部材６で案内されながら搬送経路４に沿って移動される。
【００８４】
そして、通常サイズより長いサイズの印画紙Ｐ２への露光が終了すると、離間していた搬送ローラー対７が圧接し、通常サイズより長いサイズと通常サイズの印画紙Ｐ１とが搬送ローラー対７で挟持されて搬送されていく。
【００８５】
以上のように長さの異なる印画紙Ｐを並列搬送する場合でも、全長の長い方の印画紙Ｐを基準として搬送機構５の搬送ローラー対７の駆動制御を行い、並列搬送されている全ての印画紙への露光が終了した後に、圧接された搬送ローラー対７で印画紙Ｐを搬送するようにしているので、印画紙の長さに関係なく印画紙への負荷変動をなくして露光ムラを確実に防止できる。
【００８６】
【発明の効果】
請求項１に記載の発明によれば、感光材料を搬送しながら露光を行う露光部と、露光部排出側に配設され、感光材料を搬送経路に沿って搬送する搬送機構とを備えた写真処理装置において、搬送機構は、露光部から排出される感光材料を搬送経路に沿って案内するガイド部材と、ガイド部材に沿って複数配設される感光材料を挟持して搬送するための搬送ローラー対とを備え、搬送ローラー対のうち、搬送経路の上流側に位置する搬送ローラー対を圧接および離間動作可能とし、露光されている感光材料は、離間された搬送ローラー対の間を通過させ、露光が終了した感光材料は、圧接された搬送ローラー対によって搬送するように、圧接および離間動作可能な搬送ローラー対の圧接・離間動作制御を行うようにしている構成としたから、常に露光終了後に感光材料を搬送ローラー対で挟持して搬送することができるので、感光材料の長さに関係なく感光材料への負荷変動をなくして確実に露光ムラが生じるのを防止することができる。
【００８７】
請求項２に記載の発明は、請求項１に記載の写真処理装置において、搬送機構は、感光材料を複数列搬送可能としており、圧接および離間動作可能な搬送ローラー対は、並列搬送される感光材料のうち搬送長さが長い方を基準として圧接および離間動作の制御を行うようにしている構成としたから、並列搬送されている全ての感光材料への露光が終了した後に、圧接された搬送ローラー対で感光材料を搬送するので、並列搬送される感光材料への負荷変動をなくして確実に露光ムラを防止できる。
【００８８】
しかも、並列搬送されている感光材料のうち搬送ローラー対で挟持されていない感光材料があっても、離間されている搬送ローラー対の駆動ローラーを回転させることにより、露光部からの搬送の勢いで感光材料をガイド部材に進入させ、それから回転駆動されている駆動ローラーに接触させてガイド部材による案内で感光材料を搬送経路に沿って搬送ローラー対が圧接されるまで移動させることができる。
【００８９】
請求項３に記載の発明は、感光材料を搬送しながら露光を行う露光部と、露光部排出側に配設され、感光材料を搬送経路に沿って搬送する搬送機構とを備えた写真処理装置において、搬送機構は、露光部から排出される感光材料を搬送経路に沿って案内するガイド部材と、ガイド部材に沿って複数配設される感光材料を挟持して搬送するための搬送ローラー対とを備え、搬送ローラー対のうち、搬送経路の上流側に位置する搬送ローラー対を圧接および離間動作可能として、感光材料の全長が基準とする長さ以下の場合には、露光後に感光材料が搬送ローラー対で挟持され、感光材料の全長が基準とする長さより長い場合には、搬送ローラー対を離間位置から圧接位置への移行速度を感光材料への負荷変動を防ぐ程度の速度として離間位置から圧接位置へ移行させながら、搬送されている感光材料に搬送ローラー対を圧接させて搬送するように、圧接および離間動作可能な搬送ローラー対の圧接・離間動作制御を行うようにしている構成としたから、感光材料の全長が基準とする長さより長い場合でも、露光中の感光材料を圧接および離間動作可能な搬送ローラー対によりゆっくりとした圧接動作速度で挟持するので、感光材料への負荷変動を低減でき、露光ムラを防止できる。
【００９０】
しかも、露光中の感光材料を圧接および離間動作可能な搬送ローラー対によりゆっくりとした圧接動作速度で挟持していくようにしているので、露光が完了する前に搬送ローラー対により感光材料を挟持することができることから、露光後すぐに露光部における排出側の搬送ローラー対の圧接を解除させるとともに進入側の搬送ローラー対を圧接させられるので、次に露光される感光材料の待機状態を直ぐに行え、それだけ待機時間を短くして処理能力を向上できる。
【００９１】
請求項４に記載の発明は、請求項３に記載の写真処理装置において、搬送機構は、感光材料を複数列搬送可能としており、圧接および離間動作可能な搬送ローラー対は、並列搬送される感光材料のうち全長が長い方を基準として圧接および離間動作の制御を行うように構成したから、感光材料の全長が基準とする長さ以下の感光材料の露光が完了しつつ、基準とする長さより長い感光材料が露光されていても、基準とする長さより長い感光材料を搬送しながら搬送ローラー対によりゆっくりとした圧接動作速度で挟持することができるので、感光材料への負荷変動を低減でき、露光ムラを防止できる。
【００９２】
しかも、露光中の感光材料を搬送ローラー対によりゆっくりとした圧接動作速度で挟持していくようにしているので、露光後すぐに露光部における排出側の搬送ローラー対の圧接を解除させるとともに進入側の搬送ローラー対を圧接させられ、その結果、次に露光される感光材料の待機状態を直ぐに行え、それだけ待機時間を短くして処理能力を向上できる。
【００９３】
さらに、並列搬送されている感光材料のうち搬送ローラー対で挟持されていない感光材料があっても、離間されている搬送ローラー対の駆動ローラーを回転させることにより、露光部からの搬送の勢いで感光材料をガイド部材に進入させ、それから回転駆動されている駆動ローラーに接触させてガイド部材による案内で感光材料を搬送経路に沿って搬送ローラー対が圧接されるまで移動させることができる。
【図面の簡単な説明】
【図１】本発明の実施の形態で、写真処理装置の全体概略斜視図である。
【図２】本発明の実施の形態で、写真処理装置の全体概略断面図である。
【図３】本発明の写真処理装置の搬送機構部分の側面図である。
【図４】本発明の写真処理装置の搬送機構部分の上面図である。
【図５】本発明の写真処理装置の搬送機構の一部を示す側面図である。
【図６】本発明の写真処理装置の搬送機構の駆動状態を示す概略説明図である。
【図７】本発明の写真処理装置の搬送機構の駆動状態を示す概略説明図である。
【図８】本発明の写真処理装置の搬送機構の駆動状態を示す概略説明図である。
【図９】本発明の写真処理装置の搬送機構の駆動状態を示す概略説明図である。
【図１０】本発明の写真処理装置の搬送機構の駆動制御を説明するための説明図である。
【図１１】従来の写真処理装置の搬送機構を示す概略側面図である。
【符号の説明】
２３  露光部
４  搬送経路
５  搬送機構
６  ガイド部材
７  搬送ローラー対
【図１】
0004517482.tif 000002
【図２】
0004517482.tif 000003
【図３】
0004517482.tif 000004
【図４】
0004517482.tif 000005
【図５】
0004517482.tif 000006
【図６】
0004517482.tif 000007
【図７】
0004517482.tif 000008
【図８】
0004517482.tif 000009
【図９】
0004517482.tif 000010
【図１０】
0004517482.tif 000011
【図１１】
0004517482.tif 000012